(57)【要約】【課題】直感的かつ簡便な操作で売上登録が可能な操作画面を提供する。【解決手段】売上データ処理装置は、売上データの登録時に、売上登録画面５０Ａのメニューカテゴリー領域５６に、商品の分類を識別するための部門コードに対応する部門選択キー（部門０１キー５６Ｃ、部門０２キー５６Ｄ、・・・等）とともに部門キー５６Ａを表示させる。メニューカテゴリー領域５６において何れかの部門選択キーが選択された場合には、選択された部門選択キーに対応する部門コードが割り当てられているとともに商品情報に対応させて金額情報が割り当てられている商品選択キーをメニュー領域５７に表示させる。一方、メニューカテゴリー領域５６において部門キー５６Ａが選択された場合には、部門コードは割り当てられているが金額情報は割り当てられていない部門選択キーをメニュー領域５７に表示させる。【選択図】図１０
2020113346.tif 000002
【特許請求の範囲】
【請求項１】
所定の情報が表示される表示部と、
商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御手段と、
前記第１の表示制御手段が前記第１の表示領域に一覧表示又は並列表示させる前記商品選択キーを前記識別コードに基づいて選択するための第１のコード選択キーを、前記表示部における前記第１の表示領域とは異なる第２の表示領域に一覧表示又は並列表示させる第２の表示制御手段と、
前記識別コードが割り当てられている一方で前記金額情報が非割り当てな第２のコード選択キーを、前記第１の表示領域に一覧表示又は並列表示させる第３の表示制御手段と、
を備え、
前記第２の表示制御手段は、前記第１の表示制御手段が前記第１の表示領域に前記商品選択キーを一覧表示又は並列表示させる代わりに前記第３の表示制御手段が前記第１の表示領域に前記第２のコード選択キーを一覧表示又は並列表示させるための表示切替キーを、前記第２の表示領域に前記第１のコード選択キーとともに表示させることを特徴とする売上データ処理装置。
【請求項２】
前記第３の表示制御手段により前記第１の表示領域に一覧表示又は並列表示された前記第２のコード選択キーの何れかが選択された場合に、金額情報入力手段を介して入力された金額情報を該選択された前記第２のコード選択キーに対応する識別コードに対応付けて売上登録する売上登録手段を備えたことを特徴とする請求項１に記載の売上データ処理装置。
【請求項３】
前記第１の表示領域は、前記第２の表示領域の上段側に位置する表示領域として設定されていることを特徴とする請求項１又は２に記載の売上データ処理装置。
【請求項４】
所定の情報が表示される表示部を備えた売上データ処理装置が実行する選択キー表示方法であって、
商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御ステップと、
前記第１の表示制御ステップで前記第１の表示領域に一覧表示又は並列表示させる前記商品選択キーを前記識別コードに基づいて選択するための第１のコード選択キーを、前記表示部における前記第１の表示領域とは異なる第２の表示領域に一覧表示又は並列表示させる第２の表示制御ステップと、
前記識別コードが割り当てられている一方で前記金額情報が非割り当てな第２のコード選択キーを、前記第１の表示領域に一覧表示又は並列表示させる第３の表示制御ステップと、
を含み、
前記第２の表示制御ステップでは、前記第１の表示制御ステップとして前記第１の表示領域に前記商品選択キーを一覧表示又は並列表示させる代わりに前記第３の表示制御ステップとして前記第１の表示領域に前記第２のコード選択キーを一覧表示又は並列表示させるための表示切替キーを、前記第２の表示領域に前記第１のコード選択キーとともに表示させることを特徴とする選択キー表示方法。
【請求項５】
所定の情報が表示される表示部を備えた売上データ処理装置のコンピュータを、
商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御手段、
前記第１の表示制御手段が前記第１の表示領域に一覧表示又は並列表示させる前記商品選択キーを前記識別コードに基づいて選択するための第１のコード選択キーを、前記表示部における前記第１の表示領域とは異なる第２の表示領域に一覧表示又は並列表示させる第２の表示制御手段、
前記識別コードが割り当てられている一方で前記金額情報が非割り当てな第２のコード選択キーを、前記第１の表示領域に一覧表示又は並列表示させる第３の表示制御手段、
として機能させ、
前記第２の表示制御手段は、前記第１の表示制御手段が前記第１の表示領域に前記商品選択キーを一覧表示又は並列表示させる代わりに前記第３の表示制御手段が前記第１の表示領域に前記第２のコード選択キーを一覧表示又は並列表示させるための表示切替キーを、前記第２の表示領域に前記第１のコード選択キーとともに表示させることを特徴とするプログラム。
【発明の詳細な説明】
【技術分野】
【０００１】
本発明は、売上データ処理装置、選択キー表示方法及びプログラムに関する。
【背景技術】
【０００２】
従来、商品の売上データの登録等の処理を行うＥＣＲ（Electronic Cash Resister：電子式金銭登録機）が用いられている。
通常、商品は複数の分類区分（部門）に分類されて登録されており、オペレータが部門を選択すると、選択された部門に属する商品に対応する商品選択キーが操作画面上に表示される。そして、表示された商品選択キーの中からオペレータが売上対象の商品を選択することで、商品に対する金額等の売上データが登録される。このように、ＥＣＲ等の売上データ処理装置では、各商品をキーに割り当てて、キー操作に応じて、商品と金額を対応付けて登録している。
【０００３】
店舗で扱う商品が多くなると、表示される商品選択キーの中から選択することが難しくなるため、商品選択キーの背景色や商品選択キーの下部に引かれるラインの色等、視覚的な変化を付けて認識しやすくする技術が提案されている（特許文献１参照）。
【先行技術文献】
【特許文献】
【０００４】
【特許文献１】特開２００７−５２６７４号公報
【発明の概要】
【発明が解決しようとする課題】
【０００５】
しかしながら、取扱い商品が多くなると、操作画面上に表示される商品選択キーの数も増えて目的の商品選択キーが探しにくくなる上、商品選択キーを一度に表示しきれない場合にはページめくり操作が必要となり、商品の売上登録作業が煩雑になるという問題があった。
【０００６】
また、未登録の商品について売上登録を行う場合には、例えば、ダミーの商品選択キーを用意しておき、このキーに対応付けられた金額を変更する等、例外的な運用操作を余儀なくされ、作業が煩雑になったり、売上登録が滞ったりする等の問題があった。
【０００７】
本発明の課題は、直感的かつ簡便な操作で売上登録が可能な操作画面を提供することである。
【課題を解決するための手段】
【０００８】
上記課題を解決するために、本発明に係る売上データ処理装置は、所定の情報が表示される表示部と、商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御手段と、前記第１の表示制御手段が前記第１の表示領域に一覧表示又は並列表示させる前記商品選択キーを前記識別コードに基づいて選択するための第１のコード選択キーを、前記表示部における前記第１の表示領域とは異なる第２の表示領域に一覧表示又は並列表示させる第２の表示制御手段と、前記識別コードが割り当てられている一方で前記金額情報が非割り当てな第２のコード選択キーを、前記第１の表示領域に一覧表示又は並列表示させる第３の表示制御手段と、を備え、前記第２の表示制御手段は、前記第１の表示制御手段が前記第１の表示領域に前記商品選択キーを一覧表示又は並列表示させる代わりに前記第３の表示制御手段が前記第１の表示領域に前記第２のコード選択キーを一覧表示又は並列表示させるための表示切替キーを、前記第２の表示領域に前記第１のコード選択キーとともに表示させることを特徴とする。
【０００９】
また、本発明に係る選択キー表示方法は、所定の情報が表示される表示部を備えた売上データ処理装置が実行する選択キー表示方法であって、商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御ステップと、前記第１の表示制御ステップで前記第１の表示領域に一覧表示又は並列表示させる前記商品選択キーを前記識別コードに基づいて選択するための第１のコード選択キーを、前記表示部における前記第１の表示領域とは異なる第２の表示領域に一覧表示又は並列表示させる第２の表示制御ステップと、前記識別コードが割り当てられている一方で前記金額情報が非割り当てな第２のコード選択キーを、前記第１の表示領域に一覧表示又は並列表示させる第３の表示制御ステップと、を含み、前記第２の表示制御ステップでは、前記第１の表示制御ステップとして前記第１の表示領域に前記商品選択キーを一覧表示又は並列表示させる代わりに前記第３の表示制御ステップとして前記第１の表示領域に前記第２のコード選択キーを一覧表示又は並列表示させるための表示切替キーを、前記第２の表示領域に前記第１のコード選択キーとともに表示させることを特徴とする。
また、本発明に係るプログラムは、所定の情報が表示される表示部を備えた売上データ処理装置のコンピュータを、商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御手段、前記第１の表示制御手段が前記第１の表示領域に一覧表示又は並列表示させる前記商品選択キーを前記識別コードに基づいて選択するための第１のコード選択キーを、前記表示部における前記第１の表示領域とは異なる第２の表示領域に一覧表示又は並列表示させる第２の表示制御手段、前記識別コードが割り当てられている一方で前記金額情報が非割り当てな第２のコード選択キーを、前記第１の表示領域に一覧表示又は並列表示させる第３の表示制御手段、として機能させ、前記第２の表示制御手段は、前記第１の表示制御手段が前記第１の表示領域に前記商品選択キーを一覧表示又は並列表示させる代わりに前記第３の表示制御手段が前記第１の表示領域に前記第２のコード選択キーを一覧表示又は並列表示させるための表示切替キーを、前記第２の表示領域に前記第１のコード選択キーとともに表示させることを特徴とする。
【発明の効果】
【００１０】
本発明によれば、直感的かつ簡便な操作で売上登録が可能な操作画面を提供することができる。
【図面の簡単な説明】
【００１１】
【図１】売上データ管理システムのシステム構成図である。
【図２】売上データ処理装置の機能的構成を示すブロック図である。
【図３】部門テーブルの例を示す図である。
【図４】商品テーブルの例を示す図である。
【図５】定番商品テーブルの例を示す図である。
【図６】売上データファイルの例を示す図である。
【図７】売上データ処理装置において実行される定番商品設定処理を示すフローチャートである。
【図８】定番商品設定画面の表示例である。
【図９】売上データ処理装置において実行される売上データ登録処理を示すフローチャートである。
【図１０】部門キーが選択された場合の売上登録画面の表示例である。
【図１１】部門選択キーが選択された場合の売上登録画面の表示例である。
【図１２】定番キーが選択された場合の売上登録画面の表示例である。
【図１３】売上データ処理装置において実行される部門毎集計処理を示すフローチャートである。
【発明を実施するための形態】
【００１２】
以下、図面を参照して本発明に係る実施の形態について説明する。なお、本発明は、図示例に限定されるものではない。
【００１３】
図１は、売上データ管理システム１００のシステム構成図である。
図１に示すように、売上データ管理システム１００は、サーバ装置１０と、複数の売上データ処理装置２０，２０，・・・と、が通信ネットワークＮを介してデータ通信可能に接続されて構成されている。売上データ管理システム１００は、飲食店、食料品店等の店舗における商品の売上データ等の情報を管理するものである。
【００１４】
サーバ装置１０は、各店舗に設置された売上データ処理装置２０から送信される売上データを収集し、管理する。
通信ネットワークＮは、インターネットであるものとし、無線、専用線、ＬＡＮ（Local Area Network）等を含んでもよい。
【００１５】
売上データ処理装置２０は、各店舗に設置され、従業員等のオペレータの操作に応じて、売上対象商品の売上データの登録を行う登録処理、当日の売り上げを点検する点検処理、閉店後に売り上げを確定する精算処理等を行う。売上データ処理装置２０としては、ＥＣＲ、ＰＯＳ（Point Of Sales）端末等が含まれる。
【００１６】
図２に、売上データ処理装置２０の機能的構成を示す。
売上データ処理装置２０は、ＣＰＵ（Central Processing Unit）２１と、入力部２２と、表示部２３と、記憶部２４と、ＲＡＭ（Random Access Memory）２５と、ＲＯＭ（Read Only Memory）２６と、印字部２７と、ドロア２８と、通信部２９と、を備え、各部はバス３０を介して接続されている。
【００１７】
ＣＰＵ２１は、売上データ処理装置２０の各部の処理動作を統括的に制御する。具体的には、ＣＰＵ２１は、ＲＯＭ２６に記憶されている各種処理プログラムを読み出してＲＡＭ２５に展開し、当該プログラムとの協働により各種処理を行う。
【００１８】
入力部２２は、表示部２３の画面上に形成されたタッチパネル２２１を備え、オペレータによるタッチ入力に応じた操作信号をＣＰＵ２１に出力する。タッチパネル２２１は、表示部２３に表示される操作画面上の所定の領域をオペレータが指定する際に用いられる。
入力部２２は、各種ハードキーを備え、各キー操作に応じた操作信号をＣＰＵ２１に出力する構成としてもよい。
また、入力部２２は、バーコードを読み取るバーコードリーダやバーコードスキャナ等を備え、読み取りデータをＣＰＵ２１に出力する。
【００１９】
表示部２３は、ＬＣＤ（Liquid Crystal Display）等で構成され、ＣＰＵ２１からの表示制御信号に従って画面表示を行う。
【００２０】
記憶部２４は、ＨＤＤ（Hard Disk Drive）や不揮発性メモリ等により構成され、情報を読み出し及び書き込み可能に記憶する。具体的に、記憶部２４には、部門テーブルＴ１、商品テーブルＴ２、定番商品テーブルＴ３、売上データファイル２４１が記憶されている。
【００２１】
図３に、部門テーブルＴ１の例を示す。部門テーブルＴ１には、売上データ処理装置２０が設置された店舗において扱われる商品の分類である部門毎に、部門コードと、部門名と、が対応付けられている。部門コードは、各部門（商品の分類）を識別するための識別コードである。部門名は、各部門の名称である。
なお、部門名は、適宜変更可能である。例えば、ビール、日本酒、ワイン等の商品に対して「酒」という部門が設定され、りんご、みかん、バナナ等の商品に対して「果物」という部門が設定される。
【００２２】
図４に、商品テーブルＴ２の例を示す。商品テーブルＴ２には、売上データ処理装置２０が設置された店舗において扱われる商品毎に、商品コードと、商品名と、単価と、部門コードと、が対応付けられている。商品コードは、各商品に対応する識別情報である。商品名は、各商品の名称である。単価は、各商品の金額である。部門コードは、各商品が属する部門の部門コードである。商品テーブルＴ２に含まれる各商品は、各店舗において売上データ処理装置２０が導入される際に登録されたり、各店舗で扱われる商品が増える際に追加されたりする。
【００２３】
図５に、定番商品テーブルＴ３の例を示す。定番商品テーブルＴ３には、売上データ処理装置２０において定番商品として設定された商品毎に、定番群名と、キー位置と、商品コードと、が対応付けられている。ここでは、１０画面分の定番商品が設定可能となっており、定番群名に含まれる数字は、何番目の画面の定番商品であるかを示している。キー位置は、売上データ登録時に、定番商品として設定されているものの中から売上対象商品を選択する画面（図１２参照）において各商品に対応する定番商品選択キーが表示される表示領域を示す情報である。キー位置を特定する方法としては、予め各表示領域に対して割り振られた識別情報を用いてもよいし、画面上の座標により指定してもよい。商品コードは、定番商品として設定された商品の商品コードである。
【００２４】
図６に、売上データファイル２４１の例を示す。売上データファイル２４１には、日付と、時刻と、伝票番号と、売上対象と、個数と、金額と、が対応付けられている。日付、時刻は、それぞれ、売上データの登録が行われた日付、時刻である。伝票番号は、各伝票を特定するための識別情報である。売上対象は、売上対象の商品に対応する商品コード、又は、売上対象の商品が属する部門に対応する部門コードである。個数は、売上対象商品の個数である。金額は、売上対象商品の単価に個数を掛けた値である。
【００２５】
ＲＡＭ２５は、揮発性のメモリである。ＲＡＭ２５には、実行される各種プログラムやこれら各種プログラムに係るデータ等が格納される。
【００２６】
ＲＯＭ２６は、各種プログラム及び各種データを記憶する読み出し専用の半導体メモリである。ＲＯＭ２６には、定番商品設定プログラムＰ１、売上データ登録プログラムＰ２、部門毎集計プログラムＰ３が記憶されている。
定番商品設定プログラムＰ１は、定番商品を設定する処理を実行させるためのプログラムである。
売上データ登録プログラムＰ２は、売上データを登録する処理を実行させるためのプログラムである。
部門毎集計プログラムＰ３は、売上データを部門毎に集計する処理を実行させるためのプログラムである。
【００２７】
印字部２７は、サーマルプリンタ等により構成される。印字部２７は、レシート用、ジャーナル用のロール紙を有し、ＣＰＵ２１から入力される指示に従って、各ロール紙に対して金額等のデータを印字する。
【００２８】
ドロア２８は、硬貨や紙幣等の現金を収納する引出し部と、この引出し部を開放させる開放部とを有する。ドロア２８は、例えば、ＣＰＵ２１の指示に応じて、開放部により引出し部が開けられる。
【００２９】
通信部２９は、ネットワークインターフェース等により構成され、通信ネットワークＮを介して接続されたサーバ装置１０等の外部機器との間でデータの送受信を行う。例えば、通信部２９は、売上データ処理装置２０において登録された売上データ（売上データファイル２４１）をサーバ装置１０に送信する。
【００３０】
ＣＰＵ２１は、定番商品の設定時において、表示部２３に定番商品設定画面（図８参照）を表示させる。この際、ＣＰＵ２１は、定番商品設定画面の定番商品選択領域に記憶部２４に記憶されている商品テーブルＴ２に含まれる商品を表示させるとともに、定番商品設定画面のキー位置選択領域に当該キー位置選択領域を複数の領域に分割した複数のキー位置を表示させる。ＣＰＵ２１は、定番商品選択領域においてタッチパネル２２１から選択された商品の商品コードを定番商品の商品コードとして記憶部２４の定番商品テーブルＴ３に記憶させ、キー位置選択領域においてタッチパネル２２１から選択されたキー位置を定番商品選択領域において選択された商品の商品コードと対応付けて記憶部２４の定番商品テーブルＴ３に記憶させる。
【００３１】
また、ＣＰＵ２１は、表示部２３に売上登録画面（図１０〜図１２参照）を表示させる。売上登録画面には、第１の表示領域としてのメニュー領域と、第２の表示領域としてのメニューカテゴリー領域と、が含まれる。
【００３２】
ＣＰＵ２１は、商品の分類を識別するための部門コードが割り当てられているとともに商品情報（商品コード、商品名）に対応させて金額情報（単価）が割り当てられている複数の商品選択キーのうち、部門コードが互いに共通な商品選択キーをメニュー領域に一覧表示又は並列表示させる。
一覧表示とは、表示対象物の全てを表示領域内に表示することをいう。
並列表示とは、表示対象物の一部を表示領域内に表示することであって、画面切替操作に伴い、表示される表示対象物の範囲を変更可能な表示をいう。
【００３３】
ＣＰＵ２１は、メニュー領域に一覧表示又は並列表示させる商品選択キーを部門コードに基づいて選択するための部門選択キー（第１のコード選択キー、コード選択キー）を、メニュー領域とは異なるメニューカテゴリー領域に一覧表示又は並列表示させる。メニューカテゴリー領域に表示される部門選択キーは、記憶部２４に記憶されている部門テーブルＴ１に含まれる複数の部門のそれぞれに対応するものである。
【００３４】
ＣＰＵ２１は、部門コードが割り当てられている一方で金額情報が非割り当てな部門選択キー（第２のコード選択キー）をメニュー領域に一覧表示又は並列表示させる。メニュー領域に表示される部門選択キーは、記憶部２４に記憶されている部門テーブルＴ１に含まれる複数の部門のそれぞれに対応するものである。
【００３５】
ＣＰＵ２１は、メニュー領域に商品選択キーを一覧表示又は並列表示させる代わりにメニュー領域に部門選択キーを一覧表示又は並列表示させるための部門キー（表示切替キー）をメニューカテゴリー領域に部門選択キーとともに表示させる。
【００３６】
ＣＰＵ２１は、割り当てられている部門コードにかかわらず商品選択キーをメニュー領域に一覧表示又は並列表示させる。
ＣＰＵ２１は、メニュー領域に一覧表示又は並列表示される商品選択キーのうち所定のモード（定番商品の設定モード）のときに選択された商品選択キーを定番商品選択キー（特定商品選択キー）としてメニュー領域に一覧表示又は並列表示させる。
【００３７】
ＣＰＵ２１は、メニュー領域に商品選択キーを一覧表示又は並列表示させる代わりにメニュー領域に定番商品選択キーを一覧表示又は並列表示させるための定番キー（表示切替キー）をメニューカテゴリー領域に部門選択キーとともに表示させる。
【００３８】
以上まとめると、メニューカテゴリー領域においてタッチパネル２２１から部門キーが選択された場合に、ＣＰＵ２１は、記憶部２４に記憶されている部門テーブルＴ１に含まれる複数の部門に対応する部門選択キーをメニュー領域に表示させる。
タッチパネル２２１からメニュー領域に一覧表示又は並列表示された部門選択キーの何れかが選択された場合に、ＣＰＵ２１は、金額情報入力手段としての入力部２２を介して入力された金額情報を、選択された部門選択キーに対応する部門コードに対応付けて売上登録する。
【００３９】
メニューカテゴリー領域においてタッチパネル２２１から複数の部門選択キーのうち何れかが選択された場合に、ＣＰＵ２１は、選択された部門選択キーに対応する部門に属する商品の商品コード、商品名及び単価を記憶部２４に記憶されている商品テーブルＴ２から読み出し、各商品に対応する商品選択キーをメニュー領域に表示させる。ＣＰＵ２１は、メニュー領域に表示されている商品選択キーのうちタッチパネル２２１から選択された商品選択キーに対応する商品の商品コードと当該商品の金額（単価）とを対応付けて登録する。
【００４０】
メニューカテゴリー領域においてタッチパネル２２１から定番キーが選択された場合に、ＣＰＵ２１は、定番商品の商品コードを記憶部２４に記憶されている定番商品テーブルＴ３から読み出し、当該商品コードに対応する商品名及び単価を記憶部２４に記憶されている商品テーブルＴ２から読み出し、各定番商品に対応する定番商品選択キーをメニュー領域に表示させる。この際、ＣＰＵ２１は、定番商品の商品コード及び当該定番商品のキー位置を記憶部２４に記憶されている定番商品テーブルＴ３から読み出し、各定番商品に対応する定番商品選択キーをメニュー領域の読み出されたキー位置に対応する領域に表示させる。ＣＰＵ２１は、メニュー領域に表示されている定番商品選択キーのうちタッチパネル２２１から選択された定番商品選択キーに対応する定番商品の商品コードと当該定番商品の金額（単価）とを対応付けて登録する。
【００４１】
次に、売上データ処理装置２０における動作について説明する。
図７は、売上データ処理装置２０において実行される定番商品設定処理を示すフローチャートである。この処理は、入力部２２から定番商品の設定が指示された場合に実行される処理であって、ＣＰＵ２１とＲＯＭ２６に記憶されている定番商品設定プログラムＰ１との協働によるソフトウェア処理によって実現される。
【００４２】
まず、ＣＰＵ２１は、定番商品設定画面を表示部２３に表示させる（ステップＳ１）。
【００４３】
図８に、表示部２３に表示される定番商品設定画面４０の例を示す。
定番商品設定画面４０には、定番群名表示領域４１、キー位置選択領域４２、定番商品選択領域４３、「上へ」キーＢ１、「下へ」キーＢ２、「上へ」キーＢ３、「下へ」キーＢ４、クリアキーＢ５、取消キーＢ６、保存キーＢ７等が含まれる。
【００４４】
定番群名表示領域４１は、定番群名（定番１〜定番１０）が表示される領域である。異なる定番群に属する定番商品を設定する際には、「上へ」キーＢ１又は「下へ」キーＢ２を操作して、定番群名表示領域４１に表示される定番群名を変更する。
【００４５】
キー位置選択領域４２は、１５個の領域４２Ａ〜４２Ｏに分割されており、各領域４２Ａ〜４２Ｏは、売上登録画面５０Ｃのメニュー領域５７（図１２参照）において、各定番商品選択キーが表示される位置に対応している。
【００４６】
定番商品選択領域４３は、キー位置選択領域４２において選択されたキー位置に対応付けられる商品を選択するための領域である。ＣＰＵ２１は、記憶部２４に記憶されている商品テーブルＴ２から商品コードと商品名の組み合わせを取得し、定番商品選択領域４３に表示させる。定番商品選択領域４３において表示されていない商品を表示させるためには、「上へ」キーＢ３又は「下へ」キーＢ４を操作して、表示範囲を変更する。
【００４７】
クリアキーＢ５は、キー位置選択領域４２においてキー位置が選択された状態、又は、定番商品選択領域４３において商品が選択された状態で、この選択の解除を指示するためのキーである。
取消キーＢ６は、定番商品設定画面４０において設定された定番商品の取り消しを指示するためのキーである。
保存キーＢ７は、定番商品設定画面４０において設定された定番商品の保存を指示するためのキーである。
【００４８】
次に、ＣＰＵ２１は、オペレータのタッチパネル２２１からの操作により、設定対象の定番群の変更が指示されたか否かを判断する（ステップＳ２）。具体的には、ＣＰＵ２１は、定番商品設定画面４０において、「上へ」キーＢ１又は「下へ」キーＢ２が押下されたか否かを判断する。
【００４９】
設定対象の定番群の変更が指示された場合には（ステップＳ２；ＹＥＳ）、ＣＰＵ２１は、変更後の定番群に対応するキー位置選択領域４２を表示させる（ステップＳ３）。ＣＰＵ２１は、キー位置選択領域４２において、既に商品が対応付けられている領域に対しては、当該領域に商品名を表示させ、まだ商品が対応付けられていない領域に対しては、当該領域を空欄で表示させる。
【００５０】
ステップＳ２において、設定対象の定番群の変更が指示されない場合（ステップＳ２；ＮＯ）、又は、ステップＳ３の後、ＣＰＵ２１は、オペレータのタッチパネル２２１からの操作により、定番商品設定画面４０のキー位置選択領域４２において、キー位置の選択を受け付け、当該選択されたキー位置を示す情報をＲＡＭ２５に格納する（ステップＳ４）。
【００５１】
次に、ＣＰＵ２１は、オペレータのタッチパネル２２１からの操作により、定番商品設定画面４０の定番商品選択領域４３において、商品の選択を受け付け、当該選択された商品を示す情報をＲＡＭ２５に格納する（ステップＳ５）。
【００５２】
次に、ＣＰＵ２１は、設定対象の定番群に対応する定番群名と、ステップＳ４において選択されたキー位置と、ステップＳ５において選択された商品の商品コードと、を対応付けて、定番商品テーブルＴ３に登録する（ステップＳ６）。すなわち、ＣＰＵ２１は、定番商品選択領域４３においてオペレータが選択した商品の商品コードを、定番商品の商品コードとして記憶部２４の定番商品テーブルＴ３に記憶させるとともに、キー位置選択領域４２においてオペレータが選択したキー位置を、この商品コードと対応付けて記憶部２４の定番商品テーブルＴ３に記憶させる。
【００５３】
図８に示す例では、定番群名「定番１」のキー位置選択領域４２において、上から１段目、左から１列目の領域４２Ａに対して「商品０１」が既に対応付けられた状態で、上から３段目、左から３列目の領域４２Ｉに対して「商品０２」が新たに対応付けられている。
【００５４】
ここで、ＣＰＵ２１は、オペレータのタッチパネル２２１からの操作により、定番商品の設定の終了が指示されたか否かを判断する（ステップＳ７）。例えば、ＣＰＵ２１は、定番商品設定画面４０の保存キーＢ７が押下された場合には、定番商品の設定の終了が指示されたと判断する。
定番商品の設定の終了が指示されない場合には（ステップＳ７；ＮＯ）、ステップＳ２に戻り、処理が繰り返される。
【００５５】
ステップＳ７において、定番商品の設定の終了が指示された場合には（ステップＳ７；ＹＥＳ）、定番商品設定処理が終了する。
【００５６】
なお、上記定番商品設定処理では、ステップＳ４においてキー位置が選択され、その後、ステップＳ５において商品が選択される場合について説明したが、処理の順序については限定されず、商品が選択された後でキー位置が選択されることとしてもよい。
【００５７】
図９は、売上データ処理装置２０において実行される売上データ登録処理を示すフローチャートである。この処理は、入力部２２から売上データの登録が指示された場合に実行される処理であって、ＣＰＵ２１とＲＯＭ２６に記憶されている売上データ登録プログラムＰ２との協働によるソフトウェア処理によって実現される。
【００５８】
まず、ＣＰＵ２１は、売上登録画面を表示部２３に表示させる（ステップＳ１１）。
ＣＰＵ２１は、売上登録画面のメニューカテゴリー領域に、部門キー、複数の部門選択キー、定番キーを表示させる（ステップＳ１２）。
【００５９】
図１０に、表示部２３に表示される売上登録画面５０Ａの例を示す。
売上登録画面５０Ａには、合計金額表示領域５１、明細表示領域５２、金額表示領域５３、数字入力キー５４、「×」キー５５、メニューカテゴリー領域５６、メニュー領域５７、お支払キーＢ１１等が含まれる。
【００６０】
合計金額表示領域５１には、売上データ登録処理において登録された売上データの合計金額が表示される。
明細表示領域５２には、売上データ登録処理において登録された売上対象（商品名・部門名）、個数、金額が表示される。
金額表示領域５３には、部門で売上データを登録する際に入力される金額が表示される。
数字入力キー５４は、金額や個数を入力する際に用いられる。
「×」キー５５は、同一商品を複数個分登録する際に押下される。
【００６１】
メニューカテゴリー領域５６には、部門キー５６Ａ、定番キー５６Ｂが表示されるとともに、複数の部門選択キー（部門０１キー５６Ｃ、部門０２キー５６Ｄ、・・・等）が並列表示される。メニューカテゴリー領域５６には、「右へ」キーＢ２１と、「左へ」キーＢ２２と、が含まれる。メニューカテゴリー領域５６において、表示されていない部門選択キーを表示させるためには、「右へ」キーＢ２１又は「左へ」キーＢ２２を操作して、表示範囲を変更する。
お支払キーＢ１１は、１伝票における売上データの登録の終了を指示するためのキーである。
【００６２】
次に、ＣＰＵ２１は、オペレータのタッチパネル２２１からの操作により、売上登録画面のメニューカテゴリー領域５６において、何れかのキーの選択を受け付ける。
ＣＰＵ２１は、オペレータのタッチパネル２２１からの操作により、メニューカテゴリー領域５６において、部門キー５６Ａが選択されたか否かを判断する（ステップＳ１３）。
【００６３】
メニューカテゴリー領域５６において、部門キー５６Ａが選択された場合には（ステップＳ１３；ＹＥＳ）、ＣＰＵ２１は、記憶部２４に記憶されている部門テーブルＴ１から各部門名を取得し、売上登録画面５０Ａのメニュー領域５７に複数の部門名（部門０１、部門０２、・・・）に対応する部門選択キーを表示させる（図１０参照）（ステップＳ１４）。メニュー領域５７に表示される部門選択キーには、それぞれ、部門コードが割り当てられているが、金額情報は割り当てられていない。また、メニュー領域５７には、部門選択キーが並列表示されている。
メニュー領域５７には、「上へ」キーＢ１２、「下へ」キーＢ１３が含まれる。部門選択キーの表示範囲を変更する際には、「上へ」キーＢ１２又は「下へ」キーＢ１３を操作する。
【００６４】
次に、ＣＰＵ２１は、オペレータの操作により、数字入力キー５４から売上対象商品の金額の入力を受け付け、当該入力された金額をＲＡＭ２５に格納する（ステップＳ１５）。ＣＰＵ２１は、入力された金額を金額表示領域５３に表示させる。
【００６５】
次に、ＣＰＵ２１は、オペレータのタッチパネル２２１からの操作により、メニュー領域５７に表示されている部門選択キーの中から、売上対象商品が属する部門として何れかの部門（部門選択キー）の選択を受け付け、選択された部門を示す情報をＲＡＭ２５に格納する（ステップＳ１６）。
【００６６】
次に、ＣＰＵ２１は、ステップＳ１６で選択された部門と、ステップＳ１５で入力された金額と、を対応付けて、記憶部２４の売上データファイル２４１に登録する（ステップＳ１７）。具体的には、ＣＰＵ２１は、選択された部門の部門コードを売上データファイル２４１の「売上対象」フィールドに格納し、入力された金額を売上データファイル２４１の「金額」フィールドに格納する。
また、ＣＰＵ２１は、明細表示領域５２の売上対象欄に、選択された部門に対応する部門名を表示させ、明細表示領域５２の金額欄に、入力された金額を表示させる。ここで、同一商品を複数個分登録する場合には、「×」キー５５が押下された後、数字入力キー５４の個数に該当する数字が押下される。この場合、ＣＰＵ２１は、明細表示領域５２の個数欄に、入力された商品の個数を表示させ、明細表示領域５２の金額欄に、売上対象商品の単価に個数を掛けた値を表示させる。ＣＰＵ２１は、売上データファイル２４１内のデータも同様に変更する。
【００６７】
ステップＳ１３において、部門キー５６Ａが選択されない場合には（ステップＳ１３；ＮＯ）、ＣＰＵ２１は、オペレータのタッチパネル２２１からの操作により、メニューカテゴリー領域５６において、部門選択キー（部門０１キー５６Ｃ、部門０２キー５６Ｄ、・・・等）が選択されたか否かを判断する（ステップＳ１８）。
【００６８】
メニューカテゴリー領域５６において、部門０１キー５６Ｃ、部門０２キー５６Ｄ、・・・の何れかの部門選択キーが選択された場合には（ステップＳ１８；ＹＥＳ）、ＣＰＵ２１は、選択された部門選択キーに対応する部門に属する商品（商品コード、商品名）及び当該商品の金額（単価）を記憶部２４の商品テーブルＴ２から読み出す（ステップＳ１９）。
ＣＰＵ２１は、売上登録画面のメニュー領域５７に、選択された部門選択キーに対応する部門に属する商品の商品選択キーを表示させる（ステップＳ２０）。
【００６９】
図１１に、メニューカテゴリー領域５６において部門選択キーが選択された場合に表示部２３に表示される売上登録画面５０Ｂの例を示す。売上登録画面５０Ｂにおいて、売上登録画面５０Ａと同様の画面構成については、同一の符号を付し、説明を省略する。図１１は、部門選択キーのうち部門０１キー５６Ｃが押下された状態を示している。
また、売上登録画面５０Ｂのメニュー領域５７には、選択された部門０１キー５６Ｃに対応する「部門０１」に属する商品の商品選択キーが並列表示されている。
【００７０】
ＣＰＵ２１は、メニュー領域５７を表示させる際に、メニューカテゴリー領域５６において選択された部門選択キーに対応する部門の部門コードを含むレコードを商品テーブルＴ２から抽出し、抽出されたレコードに含まれる商品名と単価（金額）をメニュー領域５７内の各商品選択キーに表示させる。メニュー領域５７に表示される商品選択キーは、メニューカテゴリー領域５６において選択された部門選択キーに対応する部門に属する商品に対応するものであるという点で、各商品選択キーには、それぞれ、部門コードが割り当てられている。また、商品選択キーは、商品テーブルＴ２において商品名や単価が登録されている商品に対応するものであるという点で、各商品選択キーには、それぞれ、商品情報に対応する金額情報が割り当てられている。また、メニュー領域５７に表示される商品選択キーに割り当てられている部門コードは、メニューカテゴリー領域５６において選択された部門選択キーに対応する部門コードであるという点で共通している。
メニュー領域５７には、「上へ」キーＢ１４、「下へ」キーＢ１５が含まれる。商品選択キーの表示範囲を変更する際には、「上へ」キーＢ１４又は「下へ」キーＢ１５を操作する。
【００７１】
次に、ＣＰＵ２１は、オペレータのタッチパネル２２１からの操作により、メニュー領域５７に表示されている商品選択キーの中から何れかの商品（商品選択キー）の選択を受け付け、当該選択された商品を示す情報をＲＡＭ２５に格納する（ステップＳ２１）。
【００７２】
次に、ＣＰＵ２１は、ステップＳ２１で選択された商品と、当該商品の金額と、を対応付けて、売上データファイル２４１に登録する（ステップＳ２２）。具体的には、ＣＰＵ２１は、選択された商品の商品コードを売上データファイル２４１の「売上対象」フィールドに格納し、この商品の金額を売上データファイル２４１の「金額」フィールドに格納する。
また、ＣＰＵ２１は、明細表示領域５２の売上対象欄に、選択された商品の商品名を表示させ、明細表示領域５２の金額欄に、選択された商品の金額を表示させる。
【００７３】
ステップＳ１８において、部門選択キーが選択されない場合には（ステップＳ１８；ＮＯ）、ＣＰＵ２１は、オペレータのタッチパネル２２１からの操作により、メニューカテゴリー領域５６において、定番キー５６Ｂが選択されたか否かを判断する（ステップＳ２３）。
【００７４】
メニューカテゴリー領域５６において、定番キー５６Ｂが選択された場合には（ステップＳ２３；ＹＥＳ）、ＣＰＵ２１は、定番商品、当該商品の金額、当該商品のキー位置を記憶部２４の定番商品テーブルＴ３及び商品テーブルＴ２から読み出す（ステップＳ２４）。具体的には、ＣＰＵ２１は、定番商品テーブルＴ３から定番商品の商品コードとキー位置の組み合わせを取得し、各商品コードに対応する商品名と単価を商品テーブルＴ２から取得する。
ＣＰＵ２１は、売上登録画面のメニュー領域５７に、定番商品選択キーを表示させる（ステップＳ２５）。
【００７５】
図１２に、メニューカテゴリー領域５６において定番キー５６Ｂが選択された場合に表示部２３に表示される売上登録画面５０Ｃの例を示す。売上登録画面５０Ｃにおいて、売上登録画面５０Ａと同様の画面構成については、同一の符号を付し、説明を省略する。
また、売上登録画面５０Ｃのメニュー領域５７には、定番商品選択キーが並列表示されている。
【００７６】
ＣＰＵ２１は、メニュー領域５７を表示させる際に、定番商品テーブルＴ３から表示対象の定番群名を含むレコードを抽出し、抽出されたレコードに含まれるキー位置と商品コードを取得する。そして、ＣＰＵ２１は、取得された商品コードに対応する商品名と単価を商品テーブルＴ２から取得し、商品の商品名と単価（金額）をメニュー領域５７内の各定番商品選択キーに表示させる。この際、ＣＰＵ２１は、定番商品テーブルＴ３から取得されたキー位置に基づいて、各定番商品選択キーの表示領域（キーの配置）を決定する。定番商品選択キーは、割り当てられている部門コード（商品テーブルＴ２において商品に対応する部門コード）にかかわらずメニュー領域５７に表示されるものである。
メニュー領域５７には、「上へ」キーＢ１６、「下へ」キーＢ１７が含まれる。異なる定番群に属する定番商品選択キーを表示させる際には、「上へ」キーＢ１６又は「下へ」キーＢ１７を操作して、メニュー領域５７に表示される定番商品選択キーの定番群を変更する。
【００７７】
次に、ＣＰＵ２１は、オペレータのタッチパネル２２１からの操作により、メニュー領域５７に表示されている定番商品（定番商品選択キー）の中から何れかの定番商品の選択を受け付け、当該選択された商品を示す情報をＲＡＭ２５に格納する（ステップＳ２６）。
【００７８】
次に、ＣＰＵ２１は、ステップＳ２６で選択された商品と、当該商品の金額と、を対応付けて、売上データファイル２４１に登録する（ステップＳ２７）。具体的には、ＣＰＵ２１は、選択された商品の商品コードを売上データファイル２４１の「売上対象」フィールドに格納し、この商品の金額を売上データファイル２４１の「金額」フィールドに格納する。
また、ＣＰＵ２１は、明細表示領域５２の売上対象欄に、選択された商品の商品名を表示させ、明細表示領域５２の金額欄に、選択された商品の金額を表示させる。
【００７９】
ステップＳ２３において、定番キー５６Ｂが選択されない場合（ステップＳ２３；ＮＯ）、ステップＳ１７、ステップＳ２２、又は、ステップＳ２７の後、ＣＰＵ２１は、オペレータのタッチパネル２２１からの操作により、売上データの登録の終了が指示されたか否かを判断する（ステップＳ２８）。具体的には、ＣＰＵ２１は、売上登録画面５０Ａ，５０Ｂ，５０Ｃにおいて、お支払キーＢ１１が押下されたか否かを判断する。
売上データの登録の終了が指示されない場合には（ステップＳ２８；ＮＯ）、ステップＳ１３に戻り、処理が繰り返される。
【００８０】
ステップＳ２８において、売上データの登録の終了が指示された場合には（ステップＳ２８；ＹＥＳ）、売上データ登録処理が終了する。
【００８１】
なお、上記売上データ登録処理では、ステップＳ１５において売上対象商品の金額が入力され、その後、ステップＳ１６において売上対象商品が属する部門が選択される場合について説明したが、処理の順序については限定されず、売上対象商品が属する部門が選択された後で売上対象商品の金額が入力されることとしてもよい。
【００８２】
図１３は、売上データ処理装置２０において実行される部門毎集計処理を示すフローチャートである。この処理は、入力部２２から部門毎の集計が指示された場合に実行される処理であって、ＣＰＵ２１とＲＯＭ２６に記憶されている部門毎集計プログラムＰ３との協働によるソフトウェア処理によって実現される。
【００８３】
まず、ＣＰＵ２１は、ＲＡＭ２５内に設けられた、各部門コードに対応する部門合計金額の記憶領域を初期化する（ステップＳ３１）。
【００８４】
次に、ＣＰＵ２１は、オペレータの入力部２２からの操作により、集計対象範囲の指定を受け付け、当該指定された集計対象範囲を示す情報をＲＡＭ２５に格納する（ステップＳ３２）。例えば、集計対象とする日付や時刻の範囲が指定される。
【００８５】
次に、ＣＰＵ２１は、記憶部２４に記憶されている売上データファイル２４１から集計対象範囲のレコードを抽出する（ステップＳ３３）。
【００８６】
次に、ＣＰＵ２１は、抽出されたレコードのうち、未処理のレコードがあるか否かを判断する（ステップＳ３４）。未処理のレコードがある場合には（ステップＳ３４；ＹＥＳ）、ＣＰＵ２１は、処理対象のレコードの「売上対象」フィールドの情報が商品コードであるか否かを判断する（ステップＳ３５）。
【００８７】
処理対象のレコードの「売上対象」フィールドの情報が商品コードである場合には（ステップＳ３５；ＹＥＳ）、ＣＰＵ２１は、当該商品コードに対応する部門コードを商品テーブルＴ２から取得する（ステップＳ３６）。
【００８８】
ステップＳ３５において、処理対象のレコードの「売上対象」フィールドの情報が商品コードでない場合（ステップＳ３５；ＮＯ）、すなわち、処理対象のレコードの「売上対象」フィールドの情報が部門コードである場合、又は、ステップＳ３６の後、ＣＰＵ２１は、部門コードに対応する部門合計金額に、処理対象のレコードに含まれる金額を加算する（ステップＳ３７）。そして、ステップＳ３４に戻り、処理が繰り返される。
【００８９】
ステップＳ３４において、未処理のレコードがない場合（ステップＳ３４；ＮＯ）、すなわち、抽出された全てのレコードについて処理が終了した場合には、ＣＰＵ２１は、部門毎に算出された部門合計金額を表示部２３に表示させる（ステップＳ３８）。
以上で、部門毎集計処理が終了する。
【００９０】
以上説明したように、本実施の形態によれば、売上登録画面のメニューカテゴリー領域５６に部門選択キー（部門０１キー５６Ｃ、部門０２キー５６Ｄ、・・・等）とともに部門キー５６Ａを表示させ、部門キー５６Ａが選択された場合に、部門コードは割り当てられているが金額情報は割り当てられていない複数の部門選択キーをメニュー領域５７に表示させるので、オペレータは売上対象としてメニュー領域５７から何れかの部門選択キーを選択することができる。したがって、未登録の商品がある場合や商品数が多い場合でも、直感的かつ簡便な操作で売上登録が可能な操作画面を提供することができる。部門キー５６Ａを選択することで、たとえ商品が全く登録されていなかったとしても、売上データ処理装置２０を直ぐに利用可能となるため、操作性を向上させることができる。また、各部門に分類されて登録されている商品数が多い場合には、部門キー５６Ａを選択することで、多数の商品選択キーの中から目的の商品選択キーを探す作業を回避することができる。
【００９１】
また、メニュー領域５７に表示された部門選択キーの何れかが選択された場合に、入力された金額情報を選択された部門選択キーに対応する部門コードと対応付けて売上登録するので、売上データ処理装置２０の導入時における商品の事前設定や運用時における商品の追加登録をすることなく、直ちに売上データの登録が可能となる。
【００９２】
また、売上登録画面のメニューカテゴリー領域５６に部門選択キー（部門０１キー５６Ｃ、部門０２キー５６Ｄ、・・・等）とともに定番キー５６Ｂを表示させ、定番キー５６Ｂが選択された場合に、予め設定された定番商品に対応する定番商品選択キーをメニュー領域５７に表示させるので、オペレータはメニューカテゴリー領域５６において部門選択キーを選択することなく、売上対象としてメニュー領域５７から何れかの定番商品選択キーを選択することができる。したがって、商品数が多い場合でも、直感的かつ簡便な操作で売上登録が可能な操作画面を提供することができる。商品数が多い場合には、多数の商品選択キーの中から目的の商品選択キーを選択するよりも、予め定番商品として設定されている商品のみが抽出された定番商品選択キーの中から選択する方が、作業効率が良く、選択ミスも防止できる。
【００９３】
また、メニューカテゴリー領域５６において、部門という枠で売上対象商品の金額を登録するための部門キー５６Ａ、定番商品の中から選択された商品とその金額とを対応付けて登録するための定番キー５６Ｂ、まず部門を選択し、選択された部門に属する商品の中から選択された商品とその金額とを対応付けて登録するための部門選択キー（部門０１キー５６Ｃ、部門０２キー５６Ｄ、・・・等）を選択可能であるため、オペレータが臨機応変に売上登録方法を変更することができる。
【００９４】
また、定番商品として表示される商品とそのキー位置を選択することで、容易に定番商品を設定することができ、各定番商品に対応する定番商品選択キーの配置をオペレータが使いやすいように設定することができる。
【００９５】
なお、上記実施の形態における記述は、本発明に係る売上データ処理装置の例であり、これに限定されるものではない。装置を構成する各部の細部構成及び細部動作に関しても本発明の趣旨を逸脱することのない範囲で適宜変更可能である。
【００９６】
例えば、図１０〜図１２では、各選択キー（部門選択キー、商品選択キー、定番商品選択キー）が並列表示される場合を例示したが、全ての選択キーがメニューカテゴリー領域５６又はメニュー領域５７に表示可能な場合には、一覧表示されることとしてもよい。
【００９７】
また、売上登録画面のメニューカテゴリー領域５６において部門キー５６Ａが選択され、部門コードに対して金額を対応付けて登録したデータ（以下、部門入力データという。）に対して、後から商品コードを入力可能としてもよい。具体的には、オペレータが入力部２２から売上データファイル２４１に含まれる日付・時刻の範囲や伝票番号を指定すると、ＣＰＵ２１は、指定された条件を満たす部門入力データを抽出する。そして、個々の部門入力データに対してオペレータが入力部２２から商品コードを入力すると、ＣＰＵ２１は、売上データファイル２４１内の部門入力データの売上対象を、入力された商品コードに置き換えて更新する。
【００９８】
また、上記実施の形態では、商品が複数のグループ（部門）に分類されている場合について説明したが、商品が分類される部門が階層構造（大分類・中分類・小分類等）をなしていてもよい。
【００９９】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【０１００】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
商品の分類を識別するための識別コードが割り当てられているとともに商品情報に対応させて金額情報が割り当てられている複数の商品選択キーのうち前記識別コードが互いに共通な前記商品選択キーを第１の表示領域に一覧表示又は並列表示させる第１の表示制御手段と、
前記第１の表示制御手段が前記第１の表示領域に一覧表示又は並列表示させる前記商品選択キーを前記識別コードに基づいて選択するための第１のコード選択キーを前記第１の表示領域とは異なる第２の表示領域に一覧表示又は並列表示させる第２の表示制御手段と、
前記識別コードが割り当てられている一方で前記金額情報が非割り当てな第２のコード選択キーを前記第１の表示領域に一覧表示又は並列表示させる第３の表示制御手段と、
を備え、
前記第２の表示制御手段は、前記第１の表示制御手段が前記第１の表示領域に前記商品選択キーを一覧表示又は並列表示させる代わりに前記第３の表示制御手段が前記第１の表示領域に前記第２のコード選択キーを一覧表示又は並列表示させるための表示切替キーを前記第２の表示領域に前記第１のコード選択キーとともに表示させることを特徴とする売上データ処理装置。
＜請求項２＞
前記第３の表示制御手段により前記第１の表示領域に一覧表示又は並列表示された前記第２のコード選択キーの何れかが選択された場合に、金額情報入力手段を介して入力された金額情報を該選択された前記第２のコード選択キーに対応する識別コードに対応付けて売上登録する売上登録手段を備えたことを特徴とする請求項１に記載の売上データ処理装置。
＜請求項３＞
商品の分類を識別するための識別コードが割り当てられているとともに商品情報に対応させて金額情報が割り当てられている複数の商品選択キーのうち前記識別コードが互いに共通な前記商品選択キーを第１の表示領域に一覧表示又は並列表示させる第１の表示制御手段と、
前記第１の表示制御手段が前記第１の表示領域に一覧表示又は並列表示させる前記商品選択キーを前記識別コードに基づいて選択するためのコード選択キーを前記第１の表示領域とは異なる第２の表示領域に一覧表示又は並列表示させる第２の表示制御手段と、
割り当てられている識別コードにかかわらず前記商品選択キーを前記第１の表示領域に一覧表示又は並列表示させる第３の表示制御手段と、
を備え、
前記第３の表示制御手段は、前記第１の表示制御手段により前記第１の表示領域に一覧表示又は並列表示される前記商品選択キーのうち所定のモードのときに選択された前記商品選択キーを特定商品選択キーとして前記第１の表示領域に一覧表示又は並列表示させ、
前記第２の表示制御手段は、前記第１の表示制御手段が前記第１の表示領域に前記商品選択キーを一覧表示又は並列表示させる代わりに前記第３の表示制御手段が前記第１の表示領域に前記特定商品選択キーを一覧表示又は並列表示させるための表示切替キーを前記第２の表示領域に前記コード選択キーとともに表示させることを特徴とする売上データ処理装置。
＜請求項４＞
商品の分類を識別するための識別コードが割り当てられているとともに商品情報に対応させて金額情報が割り当てられている複数の商品選択キーのうち前記識別コードが互いに共通な前記商品選択キーを第１の表示領域に一覧表示又は並列表示させる第１の表示制御ステップと、
前記第１の表示制御ステップで前記第１の表示領域に一覧表示又は並列表示させる前記商品選択キーを前記識別コードに基づいて選択するための第１のコード選択キーを前記第１の表示領域とは異なる第２の表示領域に一覧表示又は並列表示させる第２の表示制御ステップと、
前記識別コードが割り当てられている一方で前記金額情報が非割り当てな第２のコード選択キーを前記第１の表示領域に一覧表示又は並列表示させる第３の表示制御ステップと、
を含み、
前記第２の表示制御ステップでは、前記第１の表示制御ステップとして前記第１の表示領域に前記商品選択キーを一覧表示又は並列表示させる代わりに前記第３の表示制御ステップとして前記第１の表示領域に前記第２のコード選択キーを一覧表示又は並列表示させるための表示切替キーを前記第２の表示領域に前記第１のコード選択キーとともに表示させることを特徴とする選択キー表示方法。
＜請求項５＞
商品の分類を識別するための識別コードが割り当てられているとともに商品情報に対応させて金額情報が割り当てられている複数の商品選択キーのうち前記識別コードが互いに共通な前記商品選択キーを第１の表示領域に一覧表示又は並列表示させる第１の表示制御ステップと、
前記第１の表示制御ステップで前記第１の表示領域に一覧表示又は並列表示させる前記商品選択キーを前記識別コードに基づいて選択するためのコード選択キーを前記第１の表示領域とは異なる第２の表示領域に一覧表示又は並列表示させる第２の表示制御ステップと、
割り当てられている識別コードにかかわらず前記商品選択キーを前記第１の表示領域に一覧表示又は並列表示させる第３の表示制御ステップと、
を含み、
前記第３の表示制御ステップでは、前記第１の表示制御ステップで前記第１の表示領域に一覧表示又は並列表示される前記商品選択キーのうち所定のモードのときに選択された前記商品選択キーを特定商品選択キーとして前記第１の表示領域に一覧表示又は並列表示させ、
前記第２の表示制御ステップでは、前記第１の表示制御ステップとして前記第１の表示領域に前記商品選択キーを一覧表示又は並列表示させる代わりに前記第３の表示制御ステップとして前記第１の表示領域に前記特定商品選択キーを一覧表示又は並列表示させるための表示切替キーを前記第２の表示領域に前記コード選択キーとともに表示させることを特徴とする選択キー表示方法。
【符号の説明】
【０１０１】
１０  サーバ装置
２０  売上データ処理装置
２１  ＣＰＵ
２２  入力部
２３  表示部
２４  記憶部
２６  ＲＯＭ
４０  定番商品設定画面
４２  キー位置選択領域
４３  定番商品選択領域
５０Ａ  売上登録画面
５０Ｂ  売上登録画面
５０Ｃ  売上登録画面
５２  明細表示領域
５３  金額表示領域
５４  数字入力キー
５６  メニューカテゴリー領域
５７  メニュー領域
１００  売上データ管理システム
２４１  売上データファイル
Ｎ  通信ネットワーク
Ｐ２  売上データ登録プログラム
Ｔ１  部門テーブル
Ｔ２  商品テーブル
Ｔ３  定番商品テーブル
【図１】
2020113346.tif 000003
【図２】
2020113346.tif 000004
【図３】
2020113346.tif 000005
【図４】
2020113346.tif 000006
【図５】
2020113346.tif 000007
【図６】
2020113346.tif 000008
【図７】
2020113346.tif 000009
【図８】
2020113346.tif 000010
【図９】
2020113346.tif 000011
【図１０】
2020113346.tif 000012
【図１１】
2020113346.tif 000013
【図１２】
2020113346.tif 000014
【図１３】
2020113346.tif 000015
【手続補正書】
【提出日】令和2年5月21日(2020.5.21)
【手続補正１】
【補正対象書類名】明細書
【補正対象項目名】０００８
【補正方法】変更
【補正の内容】
【０００８】
上記課題を解決するために、本発明に係る売上データ処理装置は、所定の情報が表示される表示部と、商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御手段と、前記第１の表示制御手段が前記第１の表示領域に一覧表示又は並列表示させる前記商品選択キーを前記識別コードに基づいて選択するためのコード選択キーを、前記表示部における前記第１の表示領域とは異なる第２の表示領域に一覧表示又は並列表示させる第２の表示制御手段と、割り当てられている識別コードにかかわらず前記商品選択キーを、前記第１の表示領域に一覧表示又は並列表示させる第３の表示制御手段と、を備え、前記第３の表示制御手段は、前記第１の表示制御手段により前記第１の表示領域に一覧表示又は並列表示される前記商品選択キーのうち所定のモードのときに選択された前記商品選択キーを特定商品選択キーとして前記第１の表示領域に一覧表示又は並列表示させ、前記第２の表示制御手段は、前記第１の表示制御手段が前記第１の表示領域に前記商品選択キーを一覧表示又は並列表示させる代わりに前記第３の表示制御手段が前記第１の表示領域に前記特定商品選択キーを一覧表示又は並列表示させるための表示切替キーを、前記第２の表示領域に前記コード選択キーとともに表示させ、前記第１の表示領域は、前記第２の表示領域の上段側に位置する表示領域として設定されている、ことを特徴とする。
【手続補正２】
【補正対象書類名】明細書
【補正対象項目名】０００９
【補正方法】変更
【補正の内容】
【０００９】
また、本発明に係る選択キー表示方法は、所定の情報が表示される表示部を備えた売上データ処理装置が実行する選択キー表示方法であって、商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御ステップと、前記第１の表示制御ステップで前記第１の表示領域に一覧表示又は並列表示させる前記商品選択キーを前記識別コードに基づいて選択するためのコード選択キーを、前記表示部における前記第１の表示領域とは異なる第２の表示領域に一覧表示又は並列表示させる第２の表示制御ステップと、割り当てられている識別コードにかかわらず前記商品選択キーを、前記第１の表示領域に一覧表示又は並列表示させる第３の表示制御ステップと、を含み、前記第３の表示制御ステップは、前記第１の表示制御ステップで前記第１の表示領域に一覧表示又は並列表示される前記商品選択キーのうち所定のモードのときに選択された前記商品選択キーを特定商品選択キーとして前記第１の表示領域に一覧表示又は並列表示させ、前記第２の表示制御ステップでは、前記第１の表示制御ステップとして前記第１の表示領域に前記商品選択キーを一覧表示又は並列表示させる代わりに前記第３の表示制御ステップとして前記第１の表示領域に前記特定商品選択キーを一覧表示又は並列表示させるための表示切替キーを、前記第２の表示領域に前記コード選択キーとともに表示させ、前記第１の表示領域は、前記第２の表示領域の上段側に位置する表示領域として設定されている、ことを特徴とする。
また、本発明に係るプログラムは、所定の情報が表示される表示部を備えた売上データ処理装置のコンピュータを、商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御手段、前記第１の表示制御手段が前記第１の表示領域に一覧表示又は並列表示させる前記商品選択キーを前記識別コードに基づいて選択するためのコード選択キーを、前記表示部における前記第１の表示領域とは異なる第２の表示領域に一覧表示又は並列表示させる第２の表示制御手段、割り当てられている識別コードにかかわらず前記商品選択キーを、前記第１の表示領域に一覧表示又は並列表示させる第３の表示制御手段、として機能させ、前記第３の表示制御手段は、前記第１の表示制御手段により前記第１の表示領域に一覧表示又は並列表示される前記商品選択キーのうち所定のモードのときに選択された前記商品選択キーを特定商品選択キーとして前記第１の表示領域に一覧表示又は並列表示させ、前記第２の表示制御手段は、前記第１の表示制御手段が前記第１の表示領域に前記商品選択キーを一覧表示又は並列表示させる代わりに前記第３の表示制御手段が前記第１の表示領域に前記特定商品選択キーを一覧表示又は並列表示させるための表示切替キーを、前記第２の表示領域に前記コード選択キーとともに表示させ、前記第１の表示領域は、前記第２の表示領域の上段側に位置する表示領域として設定されている、ことを特徴とする。
【手続補正３】
【補正対象書類名】特許請求の範囲
【補正対象項目名】全文
【補正方法】変更
【補正の内容】
【特許請求の範囲】
【請求項１】
所定の情報が表示される表示部と、
商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御手段と、
前記第１の表示制御手段が前記第１の表示領域に一覧表示又は並列表示させる前記商品選択キーを前記識別コードに基づいて選択するためのコード選択キーを、前記表示部における前記第１の表示領域とは異なる第２の表示領域に一覧表示又は並列表示させる第２の表示制御手段と、
割り当てられている識別コードにかかわらず前記商品選択キーを、前記第１の表示領域に一覧表示又は並列表示させる第３の表示制御手段と、
を備え、
前記第３の表示制御手段は、前記第１の表示制御手段により前記第１の表示領域に一覧表示又は並列表示される前記商品選択キーのうち所定のモードのときに選択された前記商品選択キーを特定商品選択キーとして前記第１の表示領域に一覧表示又は並列表示させ、
前記第２の表示制御手段は、前記第１の表示制御手段が前記第１の表示領域に前記商品選択キーを一覧表示又は並列表示させる代わりに前記第３の表示制御手段が前記第１の表示領域に前記特定商品選択キーを一覧表示又は並列表示させるための表示切替キーを、前記第２の表示領域に前記コード選択キーとともに表示させ、
前記第１の表示領域は、前記第２の表示領域の上段側に位置する表示領域として設定されている、
ことを特徴とする売上データ処理装置。
【請求項２】
所定の情報が表示される表示部を備えた売上データ処理装置が実行する選択キー表示方法であって、
商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御ステップと、
前記第１の表示制御ステップで前記第１の表示領域に一覧表示又は並列表示させる前記商品選択キーを前記識別コードに基づいて選択するためのコード選択キーを、前記表示部における前記第１の表示領域とは異なる第２の表示領域に一覧表示又は並列表示させる第２の表示制御ステップと、
割り当てられている識別コードにかかわらず前記商品選択キーを、前記第１の表示領域に一覧表示又は並列表示させる第３の表示制御ステップと、
を含み、
前記第３の表示制御ステップは、前記第１の表示制御ステップで前記第１の表示領域に一覧表示又は並列表示される前記商品選択キーのうち所定のモードのときに選択された前記商品選択キーを特定商品選択キーとして前記第１の表示領域に一覧表示又は並列表示させ、
前記第２の表示制御ステップでは、前記第１の表示制御ステップとして前記第１の表示領域に前記商品選択キーを一覧表示又は並列表示させる代わりに前記第３の表示制御ステップとして前記第１の表示領域に前記特定商品選択キーを一覧表示又は並列表示させるための表示切替キーを、前記第２の表示領域に前記コード選択キーとともに表示させ、
前記第１の表示領域は、前記第２の表示領域の上段側に位置する表示領域として設定されている、
ことを特徴とする選択キー表示方法。
【請求項３】
所定の情報が表示される表示部を備えた売上データ処理装置のコンピュータを、
商品の分類を識別するための識別コードが割り当てられているとともに商品情報に対応させて金額情報が割り当てられている複数の商品選択キーのうち前記識別コードが互いに共通な前記商品選択キーを、前記表示部における第１の表示領域に一覧表示又は並列表示させる第１の表示制御手段、
前記第１の表示制御手段が前記第１の表示領域に一覧表示又は並列表示させる前記商品選択キーを前記識別コードに基づいて選択するためのコード選択キーを、前記表示部における前記第１の表示領域とは異なる第２の表示領域に一覧表示又は並列表示させる第２の表示制御手段、
割り当てられている識別コードにかかわらず前記商品選択キーを、前記第１の表示領域に一覧表示又は並列表示させる第３の表示制御手段、
として機能させ、
前記第３の表示制御手段は、前記第１の表示制御手段により前記第１の表示領域に一覧表示又は並列表示される前記商品選択キーのうち所定のモードのときに選択された前記商品選択キーを特定商品選択キーとして前記第１の表示領域に一覧表示又は並列表示させ、
前記第２の表示制御手段は、前記第１の表示制御手段が前記第１の表示領域に前記商品選択キーを一覧表示又は並列表示させる代わりに前記第３の表示制御手段が前記第１の表示領域に前記特定商品選択キーを一覧表示又は並列表示させるための表示切替キーを、前記第２の表示領域に前記コード選択キーとともに表示させ、
前記第１の表示領域は、前記第２の表示領域の上段側に位置する表示領域として設定されている、
ことを特徴とするプログラム。